(57)【要約】【課題】予定されている放送波の受信時刻を適応的に補正することができる移動型放送受信装置と、受信時刻補正方法を提供する。【解決手段】放送波の受信を行う予定時刻が記憶部６のテーブルに予め登録されている。時計部８において計時された現在の時刻がこのテーブルに登録された予定時刻になると、停止状態の受信部１が起動されて、放送波の受信が試みられる。受信部１において放送波の受信に成功し、その受信信号に含まれるＴＯＴ等の時刻データが取得されると、取得された時刻データに基づいて時計部８の時刻が補正され、次の予定時刻まで受信部１は停止される。一方、当該予定時刻において放送波を受信できない場合は、当該予定時刻に所定の遅延時間が加算され、受信部１は再び停止状態に設定される。そして、当該遅延時間の経過後、再び受信部１が起動されて放送波の受信が試みられる。【選択図】      図１
2006311016.tif 000002
【特許請求の範囲】
【請求項１】
放送波を受信する受信手段と、
該放送波を定期的に受信する受信予定時刻を記憶する記憶手段と、
該受信予定時刻に基づいて前記受信手段を起動し、当該起動した受信手段において前記放送波が受信されない場合、当該受信予定時刻に所定の遅延時間を加算して翌日以降の該受信予定時刻として更新する制御手段と、
を有する移動型放送受信装置。
【請求項２】
前記制御手段は、前記遅延時間を加算した時刻と前記受信予定時刻に登録される他の受信予定時刻とが一致する場合もしくは所定の時間差内に含まれる場合、当該遅延時間を加算した時刻もしくは当該他の時刻を翌日以降の前記受信予定時刻から削除する
ことを特徴とする請求項１に記載の移動型放送受信装置。
【請求項３】
前記制御手段は、前記受信予定時刻から削除された時刻の数が所定数に達する場合、過去に削除された時刻を再設定する
ことを特徴とする請求項２に記載の移動型放送受信装置。
【請求項４】
前記制御手段は、放送の視聴予約や録画予約が設定されていない場合、前記受信予定時刻に基づく前記受信手段の起動を中止する
ことを特徴とする請求項１に記載の移動型放送受信装置。
【請求項５】
放送波を定期的に受信する受信予定時刻を記憶し、該受信予定時刻に基づいて前記放送波の受信処理を行った際に、前記放送波が受信されない場合は、当該受信予定時刻に所定の遅延時間を加算して翌日以降の該受信予定時刻として更新する
受信時刻補正方法。
【請求項６】
前記遅延時間を加算した時刻と前記受信予定時刻に登録される他の受信予定時刻とが一致する場合もしくは所定の時間差内に含まれる場合、当該遅延時間を加算した時刻もしくは当該他の時刻を翌日以降の前記受信予定時刻から削除する
ことを特徴とする請求項５に記載の受信時刻補正方法。
【請求項７】
前記受信予定時刻から削除された時刻の数が所定数に達する場合、過去に削除された時刻を再設定する
ことを特徴とする請求項６に記載の受信時刻補正方法。
【請求項８】
放送の視聴予約や録画予約が設定されていない場合、前記受信予定時刻に基づく前記受信手段の起動を中止する
ことを特徴とする請求項５に記載の受信時刻補正方法。
【発明の詳細な説明】
【技術分野】
【０００１】
本発明は、予定されている放送波の受信時刻を適応的に補正する受信時刻補正方法及びデジタル放送の受信機能を備えた携帯電話機等の移動型放送受信装置に関するものである。
【背景技術】
【０００２】
近年、携帯電話機やカーナビなどに代表される移動型放送受信装置は著しい技術革新を遂げており、例えばインターネットを介したデータ通信や、ゲーム、音楽プレーヤ、カメラなど、様々な機能の搭載が可能になっている。最近では、テレビ放送の受信チューナを内蔵した携帯電話機が登場しており、注目を集めている（特許文献１参照）。
【０００３】
一方、テレビ放送は、従来のアナログ方式からデジタル方式への移行が予定され、また、地上波デジタル放送または衛星デジタル放送では、主に携帯性の高い小型受信機向けに、１または３セグメントの伝送帯域を使用した放送が予定されていることから、携帯電話機やカーナビなどの移動型放送受信装置においても、デジタル放送の受信チューナを搭載した機器の開発が現在盛んに進められている。
【０００４】
デジタル放送では、従来のアナログ放送と同様な映像信号や音声信号の他に、文字などの情報を含んだデータ信号を伝送することが可能である。このデータ信号には、例えばＴＤＴ（time and date table）やＴＯＴ（time offset table）などと称される現在の日付や時刻を示すデータも含まれている。
【０００５】
このような日付や時刻に関するデータ（以降、時刻データと略記する）を用いると、テレビ受信機の内部時計を自動的に補正することが可能である。例えば、停電等により内部時計が初期化したことを検知した場合、停止状態にあるデジタル放送の受信チューナを一旦起動して上述の時刻データを受信し、これに基づいて内部時計の設定を行った後、受信チューナを停止する方法がある（特許文献２参照）。
【特許文献１】特開２００２−９９２０号公報
【特許文献２】特開２００１−５９８８１号公報
【発明の開示】
【発明が解決しようとする課題】
【０００６】
ところで、この方法では、受信した放送波に時刻データが含まれていない場合、時刻データが受信されるまで一定の時間間隔で受信チューナの起動と停止を繰り返すことにより、内部時計の補正のために受信チューナを常時動作させておく必要をなくし、待機状態におけるテレビ受信機の消費電力の削減を図ろうとしている。
【０００７】
しかしながら、どこへでも持ち運び可能な携帯電話機等の移動型放送受信装置にデジタル放送の受信チューナを搭載した場合、常にデジタル放送を受信できるとは限らなくなる。例えば地下街などの電波が届かない場所や、病院・公共交通機関など携帯電話機の電源をオフすることが要請されている場所では、上述のような時刻データの受信を行うことができない。そのため、例えば携帯電話機のユーザがこのような場所で一日の大半を送る場合、上述のような受信チューナの起動と停止が繰り返されると、放送波が受信できないにも関わらず受信チューナが不必要に動作してしまい、かえって無駄に電力が消費されるという不利益が生じる。
【０００８】
本発明はかかる事情に鑑みてなされたものであり、その目的は、予定されている放送波の受信時刻を適応的に補正することができる移動型放送受信装置と、受信時刻補正方法を提供することにある。
【課題を解決するための手段】
【０００９】
本発明の第１の観点に係る移動型放送受信装置は、放送波を受信する受信手段と、該放送波を定期的に受信する受信予定時刻を記憶する記憶手段と、該受信予定時刻に基づいて前記受信手段を起動し、当該起動した受信手段において前記放送波が受信されない場合、当該受信予定時刻に所定の遅延時間を加算して翌日以降の該受信予定時刻として更新する制御手段とを有する。
【００１０】
前記制御手段は、前記遅延時間を加算した時刻と前記受信予定時刻に登録される他の受信予定時刻とが一致する場合もしくは所定の時間差内に含まれる場合、当該遅延時間を加算した時刻もしくは当該他の時刻を翌日以降の前記受信予定時刻から削除しても良い。
【００１１】
前記制御手段は、前記受信予定時刻から削除された時刻の数が所定数に達する場合、過去に削除された時刻を再設定しても良い。
【００１２】
前記制御手段は、放送の視聴予約や録画予約が設定されていない場合、前記受信予定時刻に基づく前記受信手段の起動を中止しても良い。
【００１３】
本発明の第２の観点に係る受信時刻補正方法は、放送波を定期的に受信する受信予定時刻を記憶し、該受信予定時刻に基づいて前記放送波の受信処理を行った際に、前記放送波が受信されない場合は、当該受信予定時刻に所定の遅延時間を加算して翌日以降の該受信予定時刻として更新する。
【００１４】
前記第２の観点に係る受信時刻補正方法は、前記遅延時間を加算した時刻と前記受信予定時刻に登録される他の受信予定時刻とが一致する場合もしくは所定の時間差内に含まれる場合、当該遅延時間を加算した時刻もしくは当該他の時刻を翌日以降の前記受信予定時刻から削除しても良い。
【００１５】
前記第２の観点に係る受信時刻補正方法は、前記受信予定時刻から削除された時刻の数が所定数に達する場合、過去に削除された時刻を再設定しても良い。
【００１６】
前記第２の観点に係る受信時刻補正方法は、放送の視聴予約や録画予約が設定されていない場合、前記受信予定時刻に基づく前記受信手段の起動を中止しても良い。
【発明の効果】
【００１７】
本発明によれば、持ち主のライフスタイルに合わせ予定されている放送波の受信時刻スケジュールテーブルの時刻を適応的に更新することにより、放送波を受信できない時間帯において受信手段が無駄に起動される頻度を減らし、待機状態の消費電力を抑制することができる。
【発明を実施するための最良の形態】
【００１８】
以下、本発明の実施形態について、図面を参照して説明する。
【００１９】
図１は、本発明の実施形態に係る移動型放送受信装置の代表例とする携帯端末の構成の一例を示す図である。尚、本発明の移動型放送受信装置は、携帯端末に限定されるものではなく、カーナビなどテレビ放送波を受信可能な移動型の放送受信装置も含むものである。
図１に示す携帯端末は、受信部１と、復調部２と、復号部３と、音声出力部４と、映像表示部５と、記憶部６と、無線通信部７と、時計部８と、制御部９と、入力部１０と、アンテナＡＴ１およびＡＴ２とを有する。
【００２０】
受信部１は、アンテナＡＴ１において受信されるデジタル放送の放送波を受信する。
【００２１】
復調部２は、受信部１において受信された放送波の受信信号に含まれる映像信号、音声信号、その他のデータ信号を復調し、それぞれを分離して出力する。
【００２２】
復号部３は、復調部２より出力される映像信号および音声信号を復号化し、映像表示部５および音声出力部４によって再生可能な信号を生成する。尚、音声とは、人間の発する声に限るものではなく、一般的なサウンド（音や音響）も含むものである。
【００２３】
音声出力部４は、復号部３において復号化された音声信号を音声として出力する。
【００２４】
映像表示部５は、復号部３において復号化された映像信号を映像として表示する。
【００２５】
記憶部６は、制御部９の処理に利用される一時的なデータや、定数データ、映像信号、音声信号、電子番組表（EPG: Electronic Program Guide）など各種データを記憶する。例えば、後述する放送波（時刻データ）を定期的に受信する受信予定時刻のテーブル（受信時刻スケジュールテーブル）を記憶する。
【００２６】
無線通信部７は、無線通信としての機能を司るユニットである。例えば、アンテナＡＴ２を通じて携帯電話網の基地局と無線通信を行うための通信回路や、音声通話用のマイクロフォンとスピーカ、音声通話の所定のプロトコルに従って通話処理を実行するためのプロセッサなどを含んでいる。
【００２７】
時計部８は、放送の視聴予約や録画予約において参照される日付や時刻を計時する。
【００２８】
入力部１０は、携帯端末の動作を制御するための指示や各種の情報を入力するためのユニットであり、例えば押しボタンやダイヤル、タッチパネルなど、ユーザの操作に応じた信号を発生する機器を含む。
【００２９】
制御部９は、携帯端末の全体的な動作を制御する。例えば、受信部１におけるデジタル放送の受信動作、音声出力部４における音声の再生動作、映像表示部５における映像の表示動作、無線通信部７における通話動作などこれらの動作の統括的な制御を行う。
【００３０】
制御部９は、本発明の実施形態に係る処理ユニットとして、予約部９１と、時刻補正部９２とを有する。
【００３１】
予約部９１は、ユーザによって設定された番組の視聴予約や録画予約を適切に行うために動作する。例えば、ユーザが入力部１０を操作して番組の視聴時刻や録画時刻を予約すると、予約部９１はその予約された時刻を時計部８に基づいて監視し、当該時刻に達したときにその旨を制御部９に通知する処理を行う。または、予約された時刻の前（例えば、数分前、数秒前）にその旨を制御部９に通知する処理を行う。
制御部９は、予約部９１の通知に応じて受信部１を起動し、デジタル放送を受信する。予約した時刻において番組の視聴を行う場合には、復調部２、復号部３、音声出力部４、映像表示部５をそれぞれ動作させて、番組の映像と音声を再生する。また、予約された時刻において番組の録画（記録）を行う場合には、当該番組データ（映像信号、音声信号、データ信号）を取得し、これを記憶部６（例えばメモリーカード、光磁気ディスク、ハードディスク、フラッシュメモリなど）に記録する。尚、記憶部６は、システム的なデータ（プログラムや予約管理データなど）と録画（記録）した番組データとを共に記憶するものであっても良いし、物理的に異なる記憶部であっても良い。また、物理的に異なる記憶部である場合、そのうちの１つの記憶部が携帯端末と着脱可能に構成されたものであっても良い。つまり記憶部の構成は特に限定されるものではない。
【００３２】
時刻補正部９２は、放送波に含まれる現在時刻の情報に基づいて、予約部９１が計時する時計部８の時刻を補正する。例えば、放送波に含まれるＴＯＴやＴＤＴなどの時刻データに基づいて、予約部９１が計時する時計部８の時刻を補正する。
【００３３】
また、時刻補正部９２は、受信部１において記憶部６に記憶されている放送波の受信時刻スケジュールテーブルの時刻に時刻データが受信されない場合、今回補正を予定していた時刻に所定の遅延時間（例えば１０分）を加算する。例えば、テーブルに登録された時刻‘９：００’に受信部１を起動したが時刻データを受信できなかった場合（図４（Ａ）参照）、時刻補正部９２は、テーブルに登録された時刻‘９：００’に１０分の遅延時間を加算し、受信時刻スケジュールテーブルを時刻‘９：１０’に変更する。そして、この遅延時間に再び受信部１を起動して、時刻データの受信を試みる。尚、この加算処理は、受信時刻スケジュールテーブル中の時刻の間隔（例えば３時間）より短いもの、また加算合計がこの間隔（例えば３時間）より短いものとする。
【００３４】
例えばデジタル放送波の届かない場所に携帯端末が持ち運ばれている場合、時刻データを受信することができない。この場合、テーブルに登録される時刻に遅延時間が繰り返し加算され、時刻データの受信の試みが反復される。
その結果、次に時刻データの受信を試みる時刻とテーブルに既に登録されている次の時刻とが一致する（もしくは両者が所定の時間差内に含まれる）と、時刻補正部９２は、これらの時刻の一方をテーブルから削除する。
【００３５】
つまり、テーブルに登録された‘９：００’から１０分おきに時刻データの受信を試みるが時刻データを全く受信できず、‘１１：５０’においても時刻データを受信できなかったとき、テーブル中に次の時刻である‘１２：００’が登録されていると、これは‘１１：５０’に１０分を加算した時刻と一致する。この場合、時刻補正部９２は、テーブル中の‘１１：５０’（もしくは‘１２：００’）を削除する。これにより、不要な受信動作が１つ減り、持ち主のライフスタイルに合う放送波の受信時刻スケジュールテーブルが適応的に生成（更新）される。
【００３６】
ところが、携帯端末のユーザが１日の大半をデジタル放送波の届かない場所で過ごす場合、上述のようなテーブルの更新が行われると、テーブルに登録される時刻が段々と減ってしまう。
この削除によってテーブルに登録される時刻の数が所定数（例えば１つ）に達すると、時刻補正部９２は、テーブルを初期状態に更新する。例えば、‘０６：００’から３時間おきに補正を行うように時刻が登録された初期状態のテーブル（図４（Ａ））に戻す。
【００３７】
また、予約部９１に視聴予約や録画予約が設定されていない場合、時刻補正部９２は、上述した予約部９１が計時する時計部８の時刻の補正を中止しても良い。これは、予約部９１に視聴予約や録画予約が設定されていない場合、時計部８の精度をそれほど高める必要がないためである。
【００３８】
ここで、上述した構成を有する図１に示す携帯端末の動作について、図２および図３のフローチャートを参照して説明する。
図２および図３は、図１に示す携帯端末における予約部９１の時刻補正動作を説明するためのフローチャートである。
【００３９】
電源が投入されると、携帯端末の各部において初期設定が行われる（ステップＳＴ１０）。例えば無線通信部７は、携帯電話網の基地局と無線通信を行い、携帯電話網への位置登録などの動作を行う。
【００４０】
次いで時刻補正部９２は、予約部９１に視聴予約や録画予約が設定されているかを判定する（ステップＳＴ１５）。予約されている場合、時刻補正部９２は、受信部１を起動してデジタル放送の放送波の受信を試みる（ステップＳＴ２０）。
【００４１】
受信部１がデジタル放送の放送波を受信すると（ステップＳＴ２５，ＳＴ３０）、時刻補正部９２は、放送波の中からＴＯＴ等の時刻データを取得する（ステップＳＴ３５）。
【００４２】
時刻補正部９２は、取得した時刻データに基づいて予約部９１が計時する時計部８の時刻を補正する（ステップＳＴ４０）。
例えば、時刻補正部９２は、取得した時刻データと現在の時計部８の時刻との差を求める。時刻補正部９２は、この差を修正することにより、時刻の補正を行う。
【００４３】
時刻を補正すると、時刻補正部９２は、テーブルに登録されている次回の補正予定時刻を設定し（ステップＳＴ４５）、受信部１を停止する（ステップＳＴ５０）。予約部９１は、時刻補正部９２によって設定された次の補正予定時刻を計時する。そして、この予定時刻若しくはその前に到達すると、予約部９１は時刻補正部９２にその旨を通知する（ステップＳＴ６０）。予約部９１からの通知を受けた時刻補正部９２は、上述したステップＳＴ１５以降の処理を再び繰り返す。
【００４４】
ステップＳＴ１５において視聴録画や録画予約が予約部９１に設定されていないと判定した場合、時刻補正部９２は、ステップＳＴ２０，ＳＴ２５，ＳＴ３０，ＳＴ３５，ＳＴ４０，ＳＴ４５，ＳＴ５０の処理をスキップする。そして、テーブルに登録されている次回の補正予定時刻を予約部９１に設定（予約部９１が監視）し（ステップＳＴ５５）、予約部９１からの通知を待つ（ステップＳＴ６０）。予約部９１から補正予定時刻に到達した旨の通知を受けた後は、上述したステップＳＴ１５以降の処理を繰り返す。
【００４５】
ステップＳＴ２０において受信部１を起動したが時刻データを受信できなかった場合（ステップＳＴ２５）、時刻補正部２５は、電源投入シーケンスの途中であるかを判定する（ステップＳＴ６５）。電源投入シーケンスの途中である場合、時刻補正部２５は、テーブルに登録されている補正予定時刻の中で現在時刻のすぐ後に予定されている時刻を予約部９１に設定（予約部９１が監視）し（ステップＳＴ７０）、予約部９１からの通知を待つ（ステップＳＴ６０）。予約部９１から補正予定時刻に到達した旨の通知を受けた後は、上述したステップＳＴ１５以降の処理を繰り返す。
【００４６】
ステップＳＴ６５において電源投入シーケンスの途中でないと判定した場合、時刻補正部２５は、今回の補正予定時刻に所定の遅延時間として、例えば１０分を加算する（ステップＳＴ７５）。
【００４７】
次いで時刻補正部９２は、この遅延時間が加算された時刻がテーブルに登録されている他の（次の）時刻と一致していないか調べる（ステップＳＴ８０）。テーブルに一致する時刻がない場合、時刻補正部９２は、テーブルに登録中の今回の補正予定時刻を、遅延時間が加算された時刻に書き換える（ステップＳＴ８５）。
【００４８】
他方、テーブル中に一致する時刻がある場合、時刻補正部９２は、現在テーブルに登録されている時刻が所定数（例えば２個）であるか判定する（ステップＳＴ９０）。時刻の登録数が２つより多い場合、時刻補正部９２は、今回の補正予定時刻か、もしくはステップＳＴ８０において一致すると判定された他方の時刻の何れか一方をテーブルから削除する（ステップＳＴ９５）。
時刻の登録数が２つの場合、ここから更に１つを削除すると時刻の登録数が１つになってしまうため、時刻補正部９２は、テーブルに３つ以上の時刻が登録された状態となるように、テーブルを更新する。例えば、図４（Ａ）に示すように８つの所定時刻が登録された状態となるようにテーブルを初期化する（ステップＳＴ１００）。
【００４９】
ステップＳＴ８５，ＳＴ９５，ＳＴ１００においてテーブルを更新した後、時刻補正部９２は、テーブルに登録されている次回の補正予定時刻を予約部９１に設定（予約部９１が監視）し（ステップＳＴ１０５）、予約部９１からの通知を待つ（ステップＳＴ６０）。予約部９１から補正予定時刻に到達した旨の通知を受けた後は、上述したステップＳＴ１５以降の処理を繰り返す。
【００５０】
図４は、記憶部６に格納されるテーブルが更新される様子の一例を図解した図である。
図４（Ａ）は、テーブルの初期状態を示し、‘０６：００’から３時間おきに８つの時刻がテーブルに登録されている。
図４（Ｂ）の状態では、‘０９：００’が‘０９：１０’に、‘１８：００’が‘１８：３０’にそれぞれ変更されている。
図４（Ｃ）の状態では、‘０９：００’が‘１１：１０’に、‘０３：００’が‘３：４０’にそれぞれ変更されている。
初期状態の時刻‘０９：００’に着目すると、
‘０９：００’，‘０９：１０’，‘１１：１０’，…；
という具合に補正時刻が変遷しており、‘０９：００’から‘１２：００’の時間帯においてデジタル放送が受信され難くなっていることが分かる。
【００５１】
その結果、図４（Ｄ）では、初期状態の時刻‘０９：００’に対応する時刻がテーブルから削除され、時刻の登録数が８つから７つに減少している。
このように、携帯端末がデジタル放送を受信し難い場所に持ち運ばれる時間帯において、翌日以降から放送波の受信が行われなくなるように、テーブルの登録内容が適応的に更新される。
【００５２】
以上説明したように、本実施形態に係る移動型放送受信装置によれば、予約部９１が放送波を受信する受信時刻スケジュールテーブルが記憶部６に予め登録されており、この登録された時刻になったとき、停止状態の受信部１が起動されて、デジタル放送の受信が試みられる。受信部１においてデジタル放送が受信され、その受信信号に含まれるＴＯＴ等の時刻データが取得されると、取得された時刻データに基づいて時刻が補正される。一方、受信部１においてデジタル放送の時刻データを受信できない場合、テーブルに登録された当該時刻に所定の遅延時間が加算される。その後、受信部１は再び停止状態にされて、携帯端末は待機状態となる。
例えば（１）デジタル放送の放送波が届かない場所（地下鉄やトンネルなど）や、（２）移動型放送受信装置の電源をオフすることが要請される場所（公共の交通機関、病院など）に移動型放送受信装置が位置している場合、移動型放送受信装置は放送波を受信できなくなる。このような場所に移動型放送受信装置が位置している時間帯は、ユーザの規則的な行動パターンによってある程度決まっており、本実施形態に係る移動型放送受信装置では、この行動パターンに合わせてテーブルの内容が適応的に更新される。
したがって、本実施形態に係る移動型放送受信装置によれば、一度持ち主のライフスタイルに合わせて更新が行われると、翌日以降からは同時刻及びその近辺で無駄に放送波の受信処理が実行されないので、これにより待機状態における受信部１の無駄な起動を無くして、消費電力の増大を抑制することができる。
【００５３】
また、本実施形態に係る移動型放送受信装置によれば、放送波を受信できなかったために遅延時間が加算された時刻とテーブルに既に登録されている他の時刻とが一致する場合、もしくはこの２つの時刻が所定の時間差内に含まれる場合に、この２つの時刻の一方がテーブルから削除される。これにより、時間的に近似若しくは重複する受信処理を削減することができるため、より効果的に消費電力を抑制することができる。
【００５４】
更に、本実施形態に係る移動型放送受信装置によれば、視聴予約や録画予約が設定されていない場合、放送波の受信処理が中止される。視聴予約や録画予約が設定されていない場合は、通常、時計部８の精度をそれほど高める必要がないため、このような場合の補正を中止することによって無駄な電力の消費を抑制することができる。
【００５５】
また、ユーザの行動パターンの変化によって放送波を受信できる時間帯が変わると、上述のようなテーブルからの時刻の削除が進んでテーブルに登録された時刻が大幅に減少する可能性がある。本実施形態に係る移動型放送受信装置によれば、テーブルに登録される時刻の数が所定数（例えば１つ）に達した場合に、テーブルに登録される時刻の数が当該所定数より多くなるようにテーブルを更新（例えば、過去に削除された時刻を再設定）するため、ユーザの行動パターンの変化に適合するようテーブルを新たに作り直すことが可能である。
【００５６】
ここまで本発明の一実施形態について述べてきたが、本発明は上記の形態にのみ限定されるものではなく、種々のバリエーションを含む。
【００５７】
例えば本発明は、電子番組表（EPG: Electronic Program Guide）の受信時刻の補正にも適用可能である。この場合、制御部は、受信時刻スケジュールテーブルに登録された予定時刻において電子番組表（EPG: Electronic Program Guide）を受信し、これを記憶部に記憶する処理を行う。この場合も、上記と同様に、受信時刻スケジュールテーブルに登録された時刻を持ち主のライフスタイルに合わせて適応的に補正することによって、放送波を受信できない時間帯に受信手段が無駄に起動される頻度を減らし、待機状態の消費電力を抑制できる。
【００５８】
上述の実施形態では、１日の中の時刻（‘時’や‘分’）をテーブルに登録しているが、本発明はこれに限定されない。すなわち、テーブル中に登録される時刻は‘時’‘分’‘秒’に限らず、曜日や月など、広く時間に関わる情報を含むものでも良い。例えば、月曜日から金曜日まで使用するテーブルと土曜日および日曜日に使用するテーブルとを個別に持つなど、特定の曜日ごとに異なるテーブルを持っても良い。
【００５９】
制御部９の処理は、全てをプログラムで実行しても良いし、その少なくとも一部をハードウェアで実行させても良い。
【００６０】
本発明の携帯端末は、上述の実施形態で示すような携帯電話機を搭載するものに限定されない。例えば、ＰＤＡ（personal digital assistants）や携帯型ゲーム機、カーナビ、電子ブック端末など、デジタル放送の受信機能を搭載可能な移動型の放送受信装置に本発明は広く適用可能である。
【図面の簡単な説明】
【００６１】
【図１】本発明の実施形態に係る携帯端末の構成の一例を示す図である。
【図２】図１に示す携帯端末における予約時刻の更新動作を説明するための第１のフローチャートである。
【図３】図１に示す携帯端末における予約時刻の更新動作を説明するための第２のフローチャートである。
【図４】記憶部に格納されるテーブルが更新される様子の一例を図解した図である。
【符号の説明】
【００６２】
１…受信部、２…復調部、３…復号部、４…音声出力部、５…映像表示部、６…記憶部、７…携帯電話部、８…時計部、９…制御部、１０…入力部、ＡＴ１，ＡＴ２…アンテナ。
【図１】
2006311016.tif 000003
【図２】
2006311016.tif 000004
【図３】
2006311016.tif 000005
【図４】
2006311016.tif 000006